(57)【要約】【課題】  通信可能な領域が広く、近距離通信に適したアンテナ装置、及びアンテナ装置を含むシステムを提供すること。【解決手段】  識別タグと通信を行うアンテナ装置であって、給電を受ける第１給電部と、前記第１給電部に電磁界結合され、前記識別タグの読み取りに使用される周波数を含む所定の帯域幅を有する共振器と、前記共振器に電磁界結合されるとともに、所定の抵抗値で終端されるか又は他の電子素子にインピーダンス整合が取れた状態で接続される第２給電部とを含む。【選択図】図１
2011114633.tif 000002
【特許請求の範囲】
【請求項１】
識別タグと通信を行うアンテナ装置であって、
給電を受ける第１給電部と、
前記第１給電部に電磁界結合され、前記識別タグの読み取りに使用される周波数を含む所定の帯域幅を有する共振器と、
前記共振器に電磁界結合されるとともに、所定の抵抗値で終端されるか又は他の電子素子にインピーダンス整合が取れた状態で接続される第２給電部と
を含む、アンテナ装置。
【請求項２】
前記共振器は、前記読取装置の使用周波数を含む所定の帯域幅を有する複数の共振素子を含む、請求項１に記載のアンテナ装置。
【請求項３】
前記共振素子は、互いに並行に配列される直線型の共振素子である、請求項２に記載のアンテナ装置。
【請求項４】
前記共振素子は、一対の直線部と、前記一対の直線部を接続する折り曲げ部とを有するヘアピン型の共振素子である、請求項２に記載のアンテナ装置。
【請求項５】
前記ヘアピン型の共振素子は、隣り合う共振素子同士が互い違いの向きに配列される、請求項４に記載のアンテナ装置。
【請求項６】
前記共振器を複数含み、当該複数の共振器は、前記第１給電部及び前記第２給電部に互いに並列に電磁界結合される、請求項１乃至５のいずれか一項に記載のアンテナ装置。
【請求項７】
前記読取装置と、
請求項１乃至６のいずれか一項に記載のアンテナ装置と、
前記第１給電部に給電し、前記周波数で前記識別タグの識別情報を読み取る読取装置と、
を含むシステム。
【発明の詳細な説明】
【技術分野】
【０００１】
リーダライタから供給される電力で識別タグに読み取り用の信号を送り、識別情報を読み取るアンテナ装置、及びアンテナ装置を含むシステムに関する。
【背景技術】
【０００２】
従来より、ＲＦＩＤ（Radio Frequency Identification）タグに代表される識別タグを用いたシステムが様々な物品等の管理に利用されている。
【０００３】
ＲＦＩＤタグは、識別情報を格納するＩＣ（Integrated Circuit：集積回路）チップを含んでおり、リーダライタからＲＦ（Radio Frequency）帯域の読み取り用の信号を受信すると、受信信号の電力でＩＣチップが作動し、識別情報をリーダライタに返信する。これにより、リーダライタでＲＦＩＤタグの識別情報を読み取ることができる。
【０００４】
ＲＦＩＤタグには、電源を内蔵する能動型と、電源を含まずに外部から供給される電界又は磁界を電力源として動作する受動型とがある。受動型は、電源を含まないため、長距離の通信には適さないが、小型で低価格にすることができるという利点がある。
【０００５】
ＲＦＩＤタグの無線通信に用いる周波数は、各国で定められている。例えば、ＵＨＦ（Ultra High Frequency：極超短波）帯の場合、日本では、９５２ＭＨｚ〜９５４ＭＨｚ、又は２．４５ＧＨｚが代表的である。また、米国では９１５ＭＨｚ、欧州（ＥＵ）では８６８ＭＨｚが代表的な周波数として割り当てられている。
【０００６】
また、通信距離は、リーダライタに接続するアンテナ装置の種類とＲＦＩＤタグに用いるＩＣチップの最小動作電力によるが、例えば、ＵＨＦ帯の９５３ＭＨｚを使用周波数とするパッチアンテナ装置と受動型のＲＦＩＤタグで通信する場合で、約３ｍ〜５ｍである。
【０００７】
ＲＦＩＤタグと通信を行うリーダライタに用いられるアンテナ装置としては、パッチアンテナ装置が挙げられるが、パッチアンテナ装置のパッチ導体には高価な銅箔等が用いられるため、製造コストは高い。
【０００８】
ところで、ＲＦＩＤタグを用いて物品等を管理するシステムには、３ｍ〜５ｍも通信距離を必要とせず、例えば１０センチ以下程度の近距離で物品等の存在の有無を管理するシステムがある。
【０００９】
例えば、ＲＦＩＤタグを取り付けた物品等をアンテナ装置の上に配設し、物品等の存在の有無を管理するシステムには、物品等がアンテナ装置から離れたことを管理するために、通信距離の短い（近距離通信用の）アンテナ装置が必要になる。
【００１０】
このような近距離通信用のアンテナ装置として、給電部と終端抵抗器の間に配設される連続的な伝送路と、伝送路から分岐する分岐線路とを含み、伝送路又は分岐線路の近傍にだけ電磁又は磁界を発生させることにより、通信距離を短くしたアンテナ装置がある。
【００１１】
また、分岐線路を含まずに、伝送路をミアンダ形状に形成した近距離通信用のアンテナ装置もある。
【００１２】
近距離通信用のアンテナ装置は、高価なパッチ導体を用いないため、製造コストを大幅に低くすることができる。
【先行技術文献】
【特許文献】
【００１３】
【特許文献１】特開２００７−３０６４３８号公報
【特許文献２】特表２００８−５１９５７１号公報
【発明の概要】
【発明が解決しようとする課題】
【００１４】
ところで、従来の近距離通信用のアンテナ装置は、給電部と終端抵抗器の間が伝送路で接続されているため、伝送損失が大きく、ＲＦＩＤタグとの通信に必要な電力を十分に得られない場合があった。
【００１５】
このため、アンテナ装置の真上でも、ＲＦＩＤタグと通信を行えず、識別情報を読み取れない領域が生じる場合があった。このような傾向は、特に、終端抵抗器に近い側で顕著であった。
【００１６】
また、分岐線路を有するアンテナ装置において、ＲＦＩＤタグと通信可能な領域を拡大しようとして分岐線路を増やすと、伝送路をさらに長くする必要が生じるため、伝送損失がさらに増大し、終端抵抗器に近い側で電力が低下する場合があった。このため、分岐線路を増やしても、ＲＦＩＤタグと通信可能な領域が拡大されない場合があった。
【００１７】
また、伝送路をミアンダ形状に形成したアンテナ装置においても、伝送損失の増大は同様に生じるため、アンテナ装置の真上でも、ＲＦＩＤタグの識別情報を読み取れない領域が生じる場合があった。このような場合に、識別情報を読み取れない領域を減らそうとしてミアンダ形状の折り返し部の数を増やすと、伝送路がさらに長くなるため、さらに伝送損失が増大するという問題が生じていた。このため、ミアンダ形状の折り返し部の数を増やしても、ＲＦＩＤタグと通信可能な領域が拡大されない場合があった。
【００１８】
そこで、通信可能な領域が広く、近距離通信に適したアンテナ装置、及びアンテナ装置を含むシステムを提供することを目的とする。
【課題を解決するための手段】
【００１９】
本発明の実施の形態の一観点のアンテナ装置は、識別タグと通信を行うアンテナ装置であって、給電を受ける第１給電部と、前記第１給電部に電磁界結合され、前記識別タグの読み取りに使用される周波数を含む所定の帯域幅を有する共振器と、前記共振器に電磁界結合されるとともに、所定の抵抗値で終端されるか又は他の電子素子にインピーダンス整合が取れた状態で接続される第２給電部とを含む。
【発明の効果】
【００２０】
通信可能な領域が広く、近距離通信に適したアンテナ装置、及びアンテナ装置を含むシステムを提供できる。
【図面の簡単な説明】
【００２１】
【図１】実施の形態１のアンテナ装置を示す図であり、（ａ）は平面図、（ｂ）は（ａ）のＡ−Ａ'矢視断面図、（ｃ）は底面図である。
【図２】実施の形態１のアンテナ装置と通信を行うＲＦＩＤタグを示す図であり、（ａ）は平面図、（ｂ）はＲＦＩＤタグの等価回路図である。
【図３】実施の形態１のアンテナ装置１００にリーダライタを接続した状態を示す図である。
【図４】実施の形態１のアンテナ装置の共振器上に設置されたＲＦＩＤタグに発生する電力の周波数特性を示すシミュレーション結果である。
【図５】（ａ）は、比較用のアンテナ装置をリーダライタ６０に接続した状態を示す図、（ｂ）は（ａ）のアンテナ装置の上に設置したＲＦＩＤタグに発生する電力の周波数特性を示すシミュレーション結果である。
【図６】（ａ）は、実施の形態２のアンテナ装置２００を示す平面図、（ｂ）はアンテナ装置２００をリーダライタ６０に接続した状態を示す図である。
【図７】実施の形態３のアンテナ装置３００を示す斜視図である。
【図８】実施の形態４のアンテナ装置４００を示す図であり、（ａ）は平面図、（ｂ）は底面図である。
【図９】実施の形態５のアンテナ装置５００を示す斜視図である。
【図１０】実施の形態６のアンテナ装置を含むシステムを示す図である。
【図１１】実施の形態６のアンテナ装置を含むシステムで用いる識別ＩＤと物品データとの関係を表すテーブルを示す図である。
【図１２】実施の形態６のアンテナ装置を含むシステムによる物品管理処理の手順を示す図である。
【図１３】実施の形態６のアンテナ装置を含むシステムにおいてアンテナ装置の上に物品を置いた状態を示す斜視図である。
【発明を実施するための形態】
【００２２】
以下、本発明のアンテナ装置、及びアンテナ装置を含むシステムを適用した実施の形態について説明する。
【００２３】
［実施の形態１］
図１は、実施の形態１のアンテナ装置を示す図であり、（ａ）は平面図、（ｂ）は（ａ）のＡ−Ａ'矢視断面図、（ｃ）は底面図である。実施の形態１のアンテナ装置１００は、ＲＦＩＤタグの識別情報を読み取るためのリーダライタに接続され、近接されるＲＦＩＤタグと通信を行うアンテナ装置である。ここでは、まず、アンテナ装置１００についての説明を行い、ＲＦＩＤタグ及びリーダライタについては、図２及び図３を用いて後述する。
【００２４】
実施の形態１のアンテナ装置１００は、プリント基板１０、プリント基板１０の表面１０Ａに形成された給電線１１、１２、共振器２０、及びプリント基板１０の裏面１０Ｂに形成された地板３０を含む。
【００２５】
プリント基板１０は、例えばＦＲ４（ガラス布基材エポキシ樹脂基板）であり、例えば、誘電率εｒ＝４．４、誘電正接ｔａｎδ＝０．００２のものを用いることができる。プリント基板１０は、表面１０Ａに、給電線１１、１２、及び共振器２０が形成されるとともに、裏面１０Ｂには地板３０となる銅箔が一面に形成されている（図１（ｂ）、（ｃ）参照）。なお、プリント基板１０のサイズは、例えば、長さ（図１（ａ）中縦方向の長さ）８０ｍｍ、幅（図１（ａ）中横方向の幅）８０ｍｍ、厚さ１ｍｍである。
【００２６】
給電線１１、１２、及び共振器２０は、プリント基板１０の表面１０Ａの一面に形成した銅箔を、例えば、レジストを用いたエッチング処理によってパターニングすることによって形成される。
【００２７】
実施の形態１では、給電線１１、１２、及び共振器２０には、すべて同一線幅のマイクロストリップラインを用いる。マイクロストリップラインの厚さは、例えば、０．０３ｍｍであり、これは、例えば、プリント基板１０の裏面１０Ｂに形成される地板３０と同一の厚さに設定される。
【００２８】
なお、実施の形態１では、給電線１１、１２、及び共振器２０は、例えば、プリント基板１０の表面１０Ａ上で、剥き出しの状態である。
【００２９】
給電線１１は、両端が開放されたマイクロストリップラインを長手方向に対して平面視で直角に折り曲げて逆Ｌ字型にした形状を有する第１給電部であり、端部１１Ａ、端部１１Ｂ、折り曲げ部１１Ｃ、直線部１１Ｄ、及び直線部１１Ｅを含む。直線部１１Ｄは、端部１１Ａと折り曲げ部１１Ｃとの間の直線部であり、直線部１１Ｅは、折り曲げ部１１Ｃと端部１１Ｂとの間の直線部である。実施の形態１では、ＲＦＩＤタグを読み取るためのリーダライタが端部１１Ａに接続され、端部１１Ａを介して給電線１１に給電が行われる。
【００３０】
給電線１１は、後述する共振器２０の共振素子２１とインピーダンス整合が取れるように、直線部１１Ｅと共振素子２１との間隔、マイクロストリップラインの線幅と厚さ、及び直線部１１Ｅの長さ等が調整されて表面１０Ａ上に形成されている。このため、給電線１１は、共振素子２１とインピーダンス整合が取られた状態で電磁界結合されている。
【００３１】
これは、給電線１１と共振素子２１との間を略無反射の状態にすることにより、給電線１１から共振素子２１に電力を供給する際の電力損失を略零にするためである。
【００３２】
給電線１２は、両端が開放されたマイクロストリップラインを長手方向に対して平面視で直角に折り曲げてＬ字型にした形状を有する第２給電部であり、端部１２Ａ、端部１２Ｂ、折り曲げ部１２Ｃ、直線部１２Ｄ、及び直線部１２Ｅを含む。直線部１２Ｄは、端部１２Ａと折り曲げ部１２Ｃとの間の直線部であり、直線部１２Ｅは、折り曲げ部１２Ｃと端部１２Ｂの間の直線部である。実施の形態１では、端部１２Ａには、終端抵抗器４０が接続される。
【００３３】
給電線１２は、後述する共振器２０の共振素子２５とインピーダンス整合が取れるように、直線部１２Ｅと共振素子２５との間隔、マイクロストリップラインの線幅と厚さ、及び直線部１２Ｅの長さ等が調整されて表面１０Ａ上に形成されている。このため、給電線１２は、共振素子２５とインピーダンス整合が取られた状態で電磁界結合されている。
【００３４】
これは、給電線１２と共振素子２５との間を略無反射の状態にすることにより、給電線１２から共振素子２５に電力を供給する際の電力損失を略零にするためである。
【００３５】
ここで、終端抵抗器４０のインピーダンスは、終端抵抗器４０を取り外した状態で、端部１２Ａから給電線１２、共振器２０、及び給電線１１を見た場合の入力インピーダンスと一致するように設定すればよい。実施の形態１のアンテナ装置１００の入力インピーダンスは５０（Ω）に設定するため、終端抵抗器４０のインピーダンスは、５０（Ω）に設定すればよい。これにより、給電線１２の端部１２Ａは、所定の抵抗値で終端されることになる。
【００３６】
なお、実施の形態１のアンテナ装置１００は、図１（ａ）に示すように、左右対称に形成されるため、給電線１１と１２を入れ替えて用いてもよい。すなわち、端部１１Ａに終端抵抗器４０を接続するとともに、端部１２Ａにリーダライタを接続してもよい。
【００３７】
共振器２０は、共振素子２１、２２、２３、２４、及び２５を含む。共振素子２１〜２５は、電磁波が所定の周波数帯域で共振する線路であり、共振器２０は、共振素子２１〜２５間の電磁界結合により、所定の周波数帯域の電磁波を通過させる。共振素子２１〜２５は、すべて同一形状に形成されている。共振素子２１〜２５の各々は、両端が開放されたマイクロストリップラインを長手方向の中心点で折り返して平面視でヘアピン型にした形状を有する共振素子である。共振素子２１〜２５の長さは、例えば、共振素子２１〜２５内での使用周波数における波長λの略半波長分（λ／２）に設定される。このように、実施の形態１では、共振素子２１〜２５がヘアピン型なので、アンテナ装置１００の小型化を図ることができる。
【００３８】
ここで、使用周波数とは、後述するリーダライタが出力するＲＦ帯域の搬送波の周波数である。実施の形態１では、一例として、使用周波数が９５３ＭＨｚの場合について説明を行う。
【００３９】
このため、プリント基板１０の表面１０Ａ上に形成され、上面が剥き出しとなる共振素子２１〜２５の長さは、プリント基板１０の厚さ及び誘電率（εｒ＝４．４）と空気の誘電率（εｓ＝１．０００５８）等を考慮して決定される。
【００４０】
共振素子２１〜２５内での半波長（λ／２）は、例えば、約９２．８ｍｍに設定される。共振素子２１〜２５の長さは、電磁界シミュレータで導出することができる。
【００４１】
共振素子２１は、開放端２１Ａ、短絡端２１Ｂ、及び一対の直線部２１Ｃを有する。同様に、共振素子２２〜２５は、それぞれ、開放端２２Ａ〜２５Ａ、短絡端２２Ｂ〜２５Ｂ、及び一対の直線部２２Ｃ〜２５Ｃを有する。
【００４２】
共振素子２１〜２５は、一対の直線部２１Ｃ〜２５Ｃの長さ方向の位置を揃えた状態で、互いに等間隔で平行に並べられている。
【００４３】
なお、一対の直線部同士の間隔について共振素子２１を用いて説明すると、直線部２１Ｃ同士の間隔は、例えば、共振素子２１のマイクロストリップラインの線幅の２倍に設定することができる。
【００４４】
図１（ａ）に示すように、共振素子２１は、一対の直線部２１Ｃのうちの一方（図１（ａ）中左側の直線部２１Ｃ）が逆Ｌ字型の給電線１１の直線部１１Ｅと平行になるように配設される。
【００４５】
共振素子２１は、給電線１１とインピーダンス整合が取れるように、直線部１１Ｅと図１（ａ）中左側の直線部２１Ｃとの間隔が調整されて表面１０Ａ上に形成されている。このため、共振素子２１は、給電線１１とインピーダンス整合が取られた状態で電磁界結合されている。
【００４６】
共振素子２１〜２５の各々は、開放端２１Ａ〜２５Ａと短絡端２１Ｂ〜２５Ｂが互い違いになるように形成される。
【００４７】
共振素子２１は、開放端２１Ａが給電線１１の折り曲げ部１１Ｃに近い側に位置するとともに、短絡端２１Ｂが給電線１１の端部１１Ｂに近い側に位置するように形成される。
【００４８】
共振素子２２は、開放端２２Ａが共振素子２１の短絡端２１Ｂに近い側に位置するとともに、短絡端２２Ｂが共振素子２１の開放端２１Ａに近い側に位置するように形成される。
【００４９】
共振素子２３は、開放端２３Ａが共振素子２２の短絡端２２Ｂに近い側に位置するとともに、短絡端２３Ｂが共振素子２２の開放端２２Ａに近い側に位置するように形成される。
【００５０】
共振素子２４は、開放端２４Ａが共振素子２３の短絡端２３Ｂに近い側に位置するとともに、短絡端２４Ｂが共振素子２３の開放端２３Ａに近い側に位置するように形成される。
【００５１】
共振素子２５は、開放端２５Ａが共振素子２４の短絡端２４Ｂに近い側に位置するとともに、短絡端２５Ｂが共振素子２４の開放端２４Ａに近い側に位置するように形成される。
【００５２】
これにより、共振素子２５は、開放端２５Ａが給電線路１２の折り曲げ部１２Ｃに近い側に位置するとともに、短絡端２５Ｂが給電線路１２の端部１２Ｂに近い側に位置するように配設されている。
【００５３】
このような共振素子２１〜２５では、共振素子２１は共振素子２２と電磁界結合され、共振素子２２は共振素子２３と電磁界結合され、共振素子２３は共振素子２４と電磁界結合され、共振素子２４は共振素子２５と電磁界結合される。このように、共振素子２１〜２５の各々は、隣り合う共振素子同士で電磁界結合している。
【００５４】
ここで、共振素子２１〜２５は、上述のように共振素子２１〜２５内での使用周波数の波長λの半波長の長さに設定されているため、給電線１１又は１２を介して使用周波数の電力が供給されると、使用周波数を中心周波数とする共振を生じる。
【００５５】
また、共振素子２１〜２５は、上述のように隣り合う共振素子同士で電磁界結合しているため、中心周波数から拡がる所定の帯域幅を有する。
【００５６】
帯域幅は、共振素子２１〜２５の結合係数によって決まり、結合係数は、隣り合う共振素子同士の間隔によって決まる。
【００５７】
このため、共振素子２１〜２５の隣り合う共振素子同士の間隔は、使用周波数を共振の中心周波数として所定の帯域幅を有するように設定されている。
【００５８】
なお、共振素子２５は、一対の直線部２５Ｃのうちの一方（図１（ａ）中右側の直線部２５Ｃ）がＬ字型の給電線１２の直線部１２Ｅと平行になるように配設されており、給電線１２とインピーダンス整合が取られた状態で電磁界結合されている。
【００５９】
以上のように、実施の形態１のアンテナ装置１００では、給電線１１、１２、共振素子２１、２２、２３、２４、及び２５は、隣り合う素子同士で電磁界結合している。
【００６０】
また、共振素子２１〜２５は、ＲＦＩＤタグの識別情報を読み取るための使用周波数における波長λの半波長（λ／２）の長さに設定されるとともに、使用周波数を中心周波数として所定の帯域幅を有するように共振素子同士の間隔が設定されている。
【００６１】
共振素子２１〜２５の各々は、給電線１１又は１２を介して使用周波数（９５３ＭＨｚ）の電波が供給されると、使用周波数を中心周波数とする共振を生じ、中心周波数を中心として結合係数によって決定される所定の帯域幅を有する。共振素子２１〜２５の帯域幅については、シミュレーション結果を用いて後述する。
【００６２】
なお、給電線１１、共振素子２１〜２５、及び給電線１２について、間にある共振素子を飛び越しての電磁界結合は無視できるため、ここでは無視して検討を行う。
【００６３】
図２は、実施の形態１のアンテナ装置と通信を行うＲＦＩＤタグを示す図であり、（ａ）は平面図、（ｂ）はＲＦＩＤタグの等価回路図である。
【００６４】
図２（ａ）に示すように、実施の形態１のアンテナ装置１００と通信を行うＲＦＩＤタグ５０は、樹脂製のシート５１、ループアンテナ部５２、バイパス線路部５３、及びＩＣチップ５４を含む。ＲＦＩＤタグ５０は、電源を含まず、外部から供給される電力によって動作する受動型のＲＦＩＤタグである。
【００６５】
シート５１は、例えば、幅ｗ＝１６ｍｍ、長さｌ＝１６ｍｍ、厚さ０．１ｍｍの平面視正方形の樹脂フィルムである。
【００６６】
ループアンテナ部５２は、シート５１の表面上に形成される矩形環状のループアンテナ部であり、ＩＣチップ５４に接続するための端子５２Ａ及び５２Ｂを有する。端子５２Ａと５２Ｂの間には、ループアンテナ部５２は形成されておらず、ＩＣチップ５４によって接続される。なお、ループアンテナ部５２の寸法は、例えば、辺Ａの長さａ＝１２ｍｍ、辺Ｂの長さｂ＝１５ｍｍ、幅ｗ１＝１ｍｍである。
【００６７】
なお、ここに示すループアンテナ部５２のループの寸法は、実施の形態１のアンテナ装置１００の共振素子２１〜２５のサイズに合わせて選択した一例としての寸法であり、この数値以外を除外する趣旨ではない。
【００６８】
バイパス線路部５３は、シート５１の表面上に形成され、ループアンテナ部５２のループの一部をバイパスすることにより、ループアンテナ部５２に高周波電流が通流した場合におけるインダクタンス成分を調節するためのバイパス部である。インダクタンスは、ループアンテナ部５２のループ内におけるバイパス線路部５３の位置で決まる。図２（ａ）に示すＲＦＩＤタグ５０では、バイパス線路部５３は、ループアンテナ部５２の矩形状のループの辺Ａに平行に挿入され、辺Ｂの長さｂに対する"ｃ"で示す寸法で挿入される位置が決定される。
【００６９】
なお、ループアンテナ部５２及びバイパス線路部５３としては、例えば、銀ペースト又は銅薄膜を用いることができる。銀ペーストの場合は、例えば、インクトナーに銀粉を混合してインクジェット方式で印刷することによって形成することができる。また、銅薄膜の場合は、例えば、シート５１の表面に形成された銅薄膜をウェットエッチングすることによって形成することができる。
【００７０】
ＩＣチップ５４は、シート５１の表面上に配設され、例えば256byte程度の容量のＲＯＭ（Read Only Memory）を含むＩＣチップであり、２つの端子５４Ａ及び５４Ｂを有する。端子５４Ａは、ループアンテナ部５２の端子５２Ａに半田によって接続され、端子５４Ｂは、ループアンテナ部５２の端子５２Ｂに半田によって接続される。このように、ＩＣチップ５４がループアンテナ部５２の端子５２Ａと５２Ｂとの間に挿入されることにより、ループアンテナ部５２の矩形状のループが閉じられる。
【００７１】
図２（ｂ）の等価回路図に示すように、ループアンテナ部５２及びバイパス線路部５３は、抵抗器Ｒ１とインダクタＬ１を含み、ＩＣチップ５４は、抵抗器Ｒ２とキャパシタＣ１を含む。上述したように、ループアンテナ部５２の端子５２Ａと、ＩＣチップ５４の端子５４Ａは接続され、ループアンテナ部５２の端子５２Ｂと、ＩＣチップ５４の端子５４Ｂは接続されている。
【００７２】
ここで、図２（ｂ）に示すインダクタＬ１のインダクタンスは、ループアンテナ部５２内におけるバイパス線路部５３の位置（図２（ａ）参照）によって決定される。
【００７３】
また、図２（ｂ）に示すキャパシタＣ１の静電容量は、ＩＣチップ５４の種類（主にＲＯＭ等のメモリの容量）によって決定される。
【００７４】
このため、図２（ａ）に示す長さ"ｃ"は、アンテナ装置１００から放射される電波によってループアンテナ部５２を貫く磁界が変化したときに、図２（ｂ）に示す左右の回路のインピーダンス整合が取れ、ループアンテナ部５２に共振電流が得られるように値が設定されている。
【００７５】
図３は、実施の形態１のアンテナ装置１００にリーダライタを接続した状態を示す図である。
【００７６】
図３では、実施の形態１のアンテナ装置１００の給電線１１の端部１１Ａが読取装置としてのリーダライタ（ＲＷ:Reader Writer）６０に接続され、ＲＦＩＤタグ５０は、共振素子２４の短絡部２４Ｂの上に置かれている。また、リーダライタ６０には、ＰＣ（Personal Computer：パーソナルコンピュータ）７０が接続されている。
【００７７】
リーダライタ６０は、アンテナ装置１００からＲＦＩＤタグ５０に識別情報を読み取るための読み取り信号を搬送波に重畳して送信し、ＲＦＩＤタグ５０から返信される識別情報を復調して読み取る読取装置である。
【００７８】
ＰＣ７０は、リーダライタ６０が読み取る識別情報に基づき、ＲＦＩＤタグ５０の有無を判定し、判定結果に基づき所定の処理を実行する演算処理装置である。ＰＣ７０が実行する処理については、実施の形態６で説明する。
【００７９】
リーダライタ６０がアンテナ装置１００を介して読み取り信号を搬送波に重畳して送信すると、ＲＦＩＤタグ５０内のループアンテナ部５２を貫く磁界が変化し、ループアンテナ部５２に共振電流が流れる。これにより、ＩＣチップ５４に十分な電力が供給され、ＩＣチップ５４は動作が可能になる。なお、このとき、ＲＦＩＤタグ５０は共振器２０と電磁界結合されている。
【００８０】
ＩＣチップ５４は、ループアンテナ部５２を介して電力が供給されると、ＲＯＭ内の識別情報を読み出し、ループアンテナ部５２を介して識別情報を発信（返信）する。
【００８１】
ＲＦＩＤタグ５０から発信された識別情報は、アンテナ装置１００で受信され、リーダライタ６０で読み取られる。リーダライタ６０で読み取った識別情報は、ＰＣ７０に入力されるので、ＰＣ７０では所定のプログラムを実行することにより、ＲＦＩＤタグ５０の存在の有無を判定することができる。
【００８２】
図４は、実施の形態１のアンテナ装置の共振器上に設置されたＲＦＩＤタグに発生する電力の周波数特性を示すシミュレーション結果である。これは、図３に示すリーダライタ６０からアンテナ装置１００に１０ｄＢｍの電力を供給した場合に、ＲＦＩＤタグ５０に発生する電力の周波数特性を表すシミュレーション結果であり、電磁界シミュレータによって導出した結果である。
【００８３】
図４（ａ）は開放端２１Ａ〜２５ＡにＲＦＩＤタグ５０を設置した場合の電力の周波数特性、（ｂ）は短絡端２１Ｂ〜２５ＢにＲＦＩＤタグ５０を設置した場合の電力の周波数特性を示す。
【００８４】
なお、一般に、ＲＦＩＤタグと通信を行い、正常に動作させて識別情報を発信させるためには、−１２．５ｄＢｍ程度の電力がＲＦＩＤタグに供給されることが必要となる。このため、図４（ａ）、（ｂ）には、判断指標とする−１２．５ｄＢｍのレベルを破線で示す。
【００８５】
図４（ａ）に示すように、開放端については、開放端２１Ａ〜２５Ａのすべてについて、約９４０ＭＨｚ前後から約９７０ＭＨｚ前後にわたって、−１２．５ｄＢｍ以上の出力が得られた。
【００８６】
中心周波数となる９５３ＭＨｚでは、開放端２１Ａ〜２５Ａのすべてで、約−８ｄＢｍ以上の出力が得られ、開放端２２Ａと２４Ａでは、約４ｄＢｍ程度の非常に高い出力が得られた。
【００８７】
また、終端点である端部１２Ａに近い側の開放端（例えば、２４Ａ、２５Ａ）の出力の方が低いという傾向は開放端２１Ａ〜２５Ａについては特に見られなかった。これより、端部１２Ａに近い側の開放端においても、ＲＦＩＤタグ５０のＩＣチップ５４を動作させるのに十分な電力を得られることが分かった。
【００８８】
また、図４（ｂ）に示すように、短絡端については、短絡端２１Ｂ〜２５Ｂのすべてについて、約９２０ＭＨｚ前後から約９７０ＭＨｚ前後にわたって、−１２．５ｄＢｍ以上の出力が得られた。
【００８９】
中心周波数となる９５３ＭＨｚでは、短絡端２１Ｂ〜２５Ｂのすべてで、約−６ｄＢｍ以上の出力が得られ、短絡端２１Ｂでは約９ｄＢｍ程度、短絡端２２Ｂでは約７ｄＢｍ程度の非常に高い出力が得られた。
【００９０】
また、終端点である端部１２Ａに近い側の短絡端２３Ｂ、２４Ｂ、２５Ｂの出力は、給電点である端部１１Ａに近い側の短絡端２１Ｂ、２２Ｂより若干低いが、それでも約９４０ＭＨｚ前後から約９６０ＭＨｚ前後にかけて、−５ｄＢｍ以上の非常に高い出力が得られた。これより、端部１２Ａに近い側の短絡端においても、ＲＦＩＤタグ５０のＩＣチップ５４を動作させるのに十分な電力を得られることが分かった。
【００９１】
次に、比較例として、共振器２０と給電線１１及び１２の代わりに、ミアンダ状に折り曲げたマイクロストリップラインをプリント基板１０の表面１０Ａ上に形成した比較用のアンテナ素子にＲＦＩＤタグ５０を設置した場合の出力特性について説明する。
【００９２】
図５（ａ）は、比較用のアンテナ装置をリーダライタ６０及びＰＣ７０に接続した状態を示す図、図５（ｂ）は（ａ）のアンテナ装置の上に設置したＲＦＩＤタグに発生する電力の周波数特性を示すシミュレーション結果である。図５（ｂ）に示す結果は、図４に示す結果と同様に、リーダライタ６０から比較用のアンテナ装置に１０ｄＢｍの電力を供給した場合に、ＲＦＩＤタグ５０に発生する電力の周波数特性を表すシミュレーション結果であり、電磁界シミュレータによって導出した結果である。
【００９３】
図５（ａ）に示す比較用のアンテナ装置は、図１及び図３に示す端部１１Ａ及び１２Ａの間の共振器２０と給電線１１及び１２の代わりに、ミアンダ形状のマイクロストリップライン８０で端部８０Ａ（給電点）と端部８０Ａ（終端点）を接続したアンテナ装置である。
【００９４】
ミアンダ形状のマイクロストリップライン８０は、レジストを用いたエッチング処理によって銅箔をパターニングすることによって形成することができ、端部８０Ａと８０Ｂの間の線路長及びミアンダの数は、設計に応じて任意に設定することができる。
【００９５】
ＲＦＩＤタグ５０は、図５（ａ）に示すように、マイクロストリップライン８０のミアンダ部のうち、給電点である端部８０Ａに一番近い部位に設置した。
【００９６】
図５（ｂ）に示すように、９００ＭＨｚから１０００ＭＨｚにわたって−８ｄＢｍ以上の出力が得られた。
【００９７】
しかしながら、図５（ｂ）に示す結果は、ミアンダ形状のマイクロストリップライン８０のうち、給電点である端部１１Ａに一番近い場所で得られた出力である。伝送路の長いミアンダ形状のマイクロストリップライン８０では、終端点である端部１２Ａに近い側では、７ｄＢｍ〜１０ｄＢｍ程度の低下が予想されるため、端部１２Ａに近い側では、ＲＦＩＤタグ５０が動作できない可能性が高い。
【００９８】
また、今回は、ＲＦＩＤタグ５０を読み取るために、無線局免許状が不要な電力の最大値（１０ｄＢｍ）の電力をリーダライタから供給する条件でシミュレーションを行ったが、実際には、１０ｄＢｍよりも低い電力を用いて通信を行う場合がある。このような場合にも、特に終端点側ではＲＦＩＤタグ５０が動作できない可能性が高い。
【００９９】
これに対して、実施の形態１のアンテナ装置１００は、比較用のアンテナ装置と比べると、図４に示すように、約７ｄＢｍ〜１０ｄＢｍ程度高い出力が得られる。
【０１００】
実施の形態１のアンテナ装置１００では、共振素子２１〜２５の長さが使用周波数における波長の半波長分に設定されているため、共振素子２１〜２５の各々で共振が生じ、開放端２１Ａ〜２５Ａで電圧値が最大となり、短絡端２１Ｂ〜２５Ｂで電流値が最大になる。
【０１０１】
このため、比較用のアンテナ装置と比べて、開放端２１Ａ〜２５Ａでは電界が大きくなり、また、短絡端２１Ｂ〜２５Ｂでは磁界が大きくなり、上述のように高い出力が得られたことと考えられる。
【０１０２】
なお、開放端２１Ａ〜２５Ａと短絡端２１Ｂ〜２５Ｂで上述のように高い出力が得られるため、開放端２１Ａ〜２５Ａと短絡端２１Ｂ〜２５Ｂの間においても、比較的高い電圧値及び電流値が得られることと考えられる。
【０１０３】
以上より、実施の形態１のアンテナ装置１００によれば、共振器２０の上の全領域Ａ（図３参照）において、ＲＦＩＤタグ５０に通信に必要な十分な電力を供給できるので、共振器２０の上の全領域Ａで識別情報を読み取ることができる。
【０１０４】
また、ＲＦＩＤタグ５０に付着物がある場合、又は共振器２０の表面に付着物がある場合には、通信周波数が使用周波数（９５３ＭＨｚ）からずれる場合がある。このような場合でも、実施の形態１のアンテナ装置１００は、共振の中心周波数となる９５３ＭＨｚを含む約２０ＭＨｚ〜３０ＭＨｚ以上の帯域幅を有するので、安定的にＲＦＩＤタグ５０の識別情報を読み取ることができる。
【０１０５】
また、実際の利用で、リーダライタから供給される電力が１０ｄＢｍよりも低くなっても、比較用のアンテナ装置よりも−１２．５ｄＢｍ（判断指標）までの余裕が大きいため、共振器２０の上面の全領域でＲＦＩＤタグ５０の識別情報を読み取ることができる。
【０１０６】
以上のように、実施の形態１によれば、共振器２０の上の全領域でＲＦＩＤタグ５０の識別情報を読み取ることができ、従来のアンテナ装置よりも通信可能な領域を拡大したアンテナ装置１００を提供することができる。
【０１０７】
また、実施の形態１では、共振素子２１〜２５の開放端２１Ａ〜２５Ａと短絡端２１Ｂ〜２５Ｂを互い違いに配列したので、共振器２０の全領域内における電界と磁界の分布が平準化され、全領域での通信状態を平準化することができる。
【０１０８】
また、上述のように、共振器２０の上面の全領域でＲＦＩＤタグ５０を読み取ることができるので、終端側又は分岐線路同士の間で読み取りにくい従来のアンテナ装置に比べて、利用者にとって使い勝手の非常に良いアンテナ装置１００を提供することができる。
【０１０９】
なお、実施の形態１のアンテナ装置１００は、プリント基板１０の表面１０Ａ上に形成した給電線１１、１２、共振器２０、及び裏面に形成した地板３０で実現されるので、パッチアンテナ装置に比べると非常に安価に作製することができる。
【０１１０】
また、以上では、アンテナ装置１００の共振器２０の上にＲＦＩＤタグ５０を直接置いた場合について説明したが、実施の形態１のアンテナ装置１００は、ＲＦＩＤタグ５０が共振器２０の表面から約１０センチ程度離れていても識別情報を読み取ることができる。
【０１１１】
また、以上では、共振器２０に含まれるヘアピン型の共振素子２１〜２５が互い違いに配列される形態について説明したが、共振素子２１〜２５の並べ方は、図１（ａ）に示す並べ方に限定されるものではない。給電線１１と共振素子２１、及び共振素子２５と給電線１２のインピーダンス整合が取れ、かつ、共振器２０の全領域が通信可能になれば、共振素子２１〜２５は、図１（ａ）の並べ方とは開放端２１Ａ〜２５Ａと短絡端２１Ｂ〜２５Ｂが逆であってもよく、又はランダムな並べ方であってもよい。
【０１１２】
また、以上では、共振器２０が５つの共振素子２１〜２５を含む形態について説明したが、共振素子の数は５つに限られるものではない。共振素子の数は、例えば、アンテナ装置１００の用途に応じて必要な帯域幅を得るために最適な数に設定すればよく、少なくとも１つあればよい。
【０１１３】
また、以上では、給電線１１及び１２が逆Ｌ字型及びＬ字型に折り曲げられたマイクロストリップラインである形態について説明した。しかしながら、給電線１１及び１２は、それぞれ、共振素子２１及び２５とインピーダンス整合が取れる形状及び寸法であれば、上述の形状及び寸法のものに限定されるものではない。
【０１１４】
また、給電線１１、１２は、マイクロストリップラインではなく、コプレーナ導波路であってもよい。
【０１１５】
また、以上では、給電線１２の端部１２Ａに終端抵抗器４０が直接接続される形態について説明したが、端部１２Ａには、例えば、インピーダンスが５０（Ω）の同軸ケーブルを介して終端抵抗器４０が接続されてもよい。また、端部１２Ａに、従来のパッチアンテナ装置が接続されてもよい。ここで、端部１２Ａにインピーダンスが５０（Ω）のパッチアンテナ装置が接続される場合は、給電線１２の端部１２Ａは、他の電子素子（パッチアンテナ装置）にインピーダンス整合が取られた状態で接続されることになる。
【０１１６】
また、以上では、リーダライタ６０の使用周波数が日本国規格用のＵＨＦ帯の９５３ＭＨｚであり、共振素子２１〜２５の寸法を９５３ＭＨｚにおける波長に合わせた形態について説明した。しかしながら、日本以外の国又は地域で用いる場合には、共振素子２１〜２５の寸法を仕向先で定められている周波数に合わせて作製すればよい。例えば、米国又は欧州（ＥＵ）においてＵＨＦ帯で用いる場合には、共振素子２１〜２５の長さを米国規格用の９１５ＭＨｚ又は欧州（ＥＵ）規格用の８６８ＭＨｚにおける波長λの半波長分の長さに設定すればよい。
【０１１７】
また、以上では、リーダライタの使用周波数がＵＨＦ帯の９５３ＭＨｚである場合について説明したが、マイクロ波帯（例えば、２．４５ＧＨｚ）を用いる場合には、マイクロ波帯の周波数に合わせて共振素子２１〜２５の寸法を設定すればよい。
【０１１８】
また、以上では、ＲＦＩＤタグ５０のＩＣチップ５４が識別情報の読み出しだけを行うことができるＩＣチップである形態について説明したが、リーダライタ６０から受信したデータを書き込めるＩＣチップであってもよい。
【０１１９】
また、以上では、アンテナ装置１００に接続される読取装置がリーダライタ６０である形態について説明したが、アンテナ装置１００に接続される読取装置は、識別情報の読み取りができればよいため、書き込み（ライト）は行えなくてもよい。
【０１２０】
［実施の形態２］
図６（ａ）は、実施の形態２のアンテナ装置２００を示す平面図、図６（ｂ）はアンテナ装置２００をリーダライタ６０に接続した状態を示す図である。
【０１２１】
実施の形態２のアンテナ装置２００は、プリント基板１０の表面１０Ａ上に形成される共振器２２０と給電線２１１、２１２の形状が実施の形態１のアンテナ装置１００と異なる。その他の要素は、実施の形態１のアンテナ装置１００と同一であるため、同一の要素には同一符号を付し、その説明を省略する。また、以下では、実施の形態１との相違点を中心に説明を行う。
【０１２２】
図６（ａ）に示すように、共振器２２０は、直線状の５つの共振素子２２１、２２２、２２３、２２４、及び２２５を有する。
【０１２３】
共振素子２２１〜２２５は、すべて同一形状に形成されており、両端が開放された直線状のマイクロストリップラインである。共振素子２２１〜２２５の長さは、例えば、共振素子２２１〜２２５での使用周波数における波長λの略半波長分（λ／２）に設定される。
【０１２４】
なお、実施の形態２では使用周波数を９５３ＭＨｚとする。
【０１２５】
このため、プリント基板１０の表面１０Ａ上に形成され、上面が剥き出しとなる共振素子２２１〜２２５の長さは、プリント基板１０の厚さ及び誘電率（εｒ＝４．４）と空気の誘電率（εｓ＝１．０００５８）等を考慮して決定される。
【０１２６】
共振素子２２１〜２２５内での半波長（λ／２）は、例えば、約９２．８ｍｍに設定される。共振素子２２１〜２２５の長さは、電磁界シミュレータで導出することができる。
【０１２７】
共振素子２２１〜２２５は、プリント基板１０の表面１０Ａに等間隔で互いに平行に、かつ、平面視で長方形の表面１０Ａの四辺に対して斜めに配設されるように配列されている。
【０１２８】
共振素子２２１〜２２５の一方の端部２２１Ａ〜２２５Ａは、すべてプリント基板１０の辺Ｘと平行な同一直線ｌ１上に位置するように配列されている。このため、共振素子２２１〜２２５の他方の端部２２１Ｂ〜２２５Ｂも、辺Ｘと平行な同一直線ｌ２上に位置するように配列されている。なお、共振素子２２１〜２２５と直線ｌ１のなす角θは、例えば、４５度に設定されている。
【０１２９】
また、共振素子２２１〜２２５は、例えば、５本の共振素子２２１〜２２５のうちの中央に配設される共振素子２２３の長手方向における中心点２２３Ｃが表面１０Ａの中心と一致するように配列されている。この場合、中心点２２３Ｃを対称の中心として共振素子２２１〜２２５を点対称に形成することができる。
【０１３０】
また、図６（ａ）に示すように、実施の形態２の給電線２１１、２１２は、両端が開放された直線状のマイクロストリップラインである。
【０１３１】
給電線２１１の長さは、隣り合う共振素子２２１とのインピーダンス整合を得るために、共振素子２２１との間隔を考慮して、最適な長さに設定すればよいが、図６（ａ）には、一例として、共振素子２２１〜２２５と同一の長さ（λ／２）である場合を示す。
【０１３２】
同様に、給電線２１２の長さは、隣り合う共振素子２２５とのインピーダンス整合を得るために、共振素子２２５との間隔を考慮して、最適な長さに設定すればよいが、図６（ａ）には、一例として、共振素子２２１〜２２５と同一の長さ（λ／２）である場合を示す。
【０１３３】
給電線２１１は、プリント基板１０の表面１０Ａ上において、共振素子２２１の隣に平行に形成されている。
【０１３４】
給電線２１１は、一端に給電点となる端部２１１Ａを有する。端部２１１Ａは、プリント基板１０の端に位置する。給電線２１１は、共振素子２２１〜２２５と同一の長さを有するため、他端２１１Ｂは、直線ｌ２からオフセットしている。
【０１３５】
また、給電線２１１と共振素子２２１との間隔は、給電線２１１と共振素子２２１とのインピーダンス整合が取れるように調整されている。
【０１３６】
このため、給電線２１１は、共振素子２２１とインピーダンス整合が取られた状態で、共振素子２２１と電磁界結合されている。
【０１３７】
これは、給電線２１１と共振素子２２１との間を略無反射の状態にすることにより、給電線２１１から共振素子２２１に電力を供給する際の電力損失を略零にするためである。
【０１３８】
なお、給電線２１１と共振素子２１との間隔、給電線２１１の長さ、線幅、及び厚さ等は、給電線２１１と共振素子２２１とのインピーダンス整合が取れるように設定されていればよく、上述した間隔、長さ、線幅、厚さに限られるものではない。
【０１３９】
給電線２１２は、プリント基板１０の表面１０Ａ上において、共振素子２２５の隣に平行に形成されている。
【０１４０】
給電線２１２は、一端に終端点となる端部２１２Ａを有する。端部２１２Ａは、プリント基板１０の端に位置する。端部２１２Ａには、終端抵抗器４０が接続される。
【０１４１】
給電線２１２は、共振素子２２１〜２２５と同一の長さを有するため、他端２１２Ｂは、直線ｌ１からオフセットしている。
【０１４２】
また、給電線２１２と共振素子２２５との間隔は、給電線２１２と共振素子２２５とのインピーダンス整合が取れるように調整されている。
【０１４３】
このため、給電線２１２は、共振素子２２５とインピーダンス整合が取られた状態で、共振素子２２５と電磁界結合されている。
【０１４４】
これは、給電線２１２と共振素子２２５との間を略無反射の状態にすることにより、給電線２１２から共振素子２２５に電力を供給する際の電力損失を略零にするためである。
【０１４５】
なお、給電線２１２と共振素子２５との間隔、給電線２１２の長さ、線幅、及び厚さ等は、給電線２１２と共振素子２２５とのインピーダンス整合が取れるように設定されていればよく、上述した間隔、長さ、線幅、厚さに限られるものではない。
【０１４６】
ここで、終端抵抗器４０のインピーダンスは、終端抵抗器４０を取り外した状態で、端部２１２Ａから給電線２１２、共振器２２０、及び給電線２１１を見た場合の入力インピーダンスと一致するように設定されればよい。実施の形態２のアンテナ装置２００の入力インピーダンスは５０（Ω）に設定するため、終端抵抗器４０のインピーダンスは、５０（Ω）に設定すればよい。
【０１４７】
このような共振素子２２１〜２２５では、共振素子２２１は共振素子２２２と電磁界結合され、共振素子２２２は共振素子２２３と電磁界結合され、共振素子２２３は共振素子２２４と電磁界結合され、共振素子２２４は共振素子２２５と電磁界結合される。このように、共振素子２２１〜２２５の各々は、隣り合う共振素子同士で電磁界結合する。
【０１４８】
ここで、共振素子２２１〜２２５は、上述のように共振素子２２１〜２２５内での使用周波数の波長のλ／２の長さに設定されているため、使用周波数の電波が供給されると、使用周波数を中心周波数とする共振を生じる。
【０１４９】
また、共振素子２２１〜２２５は、上述のように電磁界結合しているため、中心周波数から拡がる所定の帯域幅を有する。
【０１５０】
帯域幅は、共振素子２２１〜２２５の結合係数によって決まり、結合係数は、隣り合う共振素子同士の間隔によって決まる。
【０１５１】
このため、共振素子２２１〜２２５の隣り合う共振素子同士の間隔は、使用周波数を共振の中心周波数として所定の帯域幅を有するように設定されている。
【０１５２】
なお、共振素子２２５は、給電線２１２とインピーダンス整合が取られた状態で、給電線２１２と電磁界結合されている。
【０１５３】
以上のように、実施の形態２のアンテナ装置２００では、給電線２１１、２１２、共振素子２２１、２２２、２２３、２２４、及び２２５は、隣り合う素子同士で電磁界結合している。
【０１５４】
また、共振素子２２１〜２２５は、ＲＦＩＤタグの識別情報を読み取るための使用周波数における波長λの半波長（λ／２）の長さに設定されるとともに、使用周波数を共振の中心周波数として所定の帯域幅を有するように共振素子同士の間隔が設定されている。
【０１５５】
このため、共振素子２２１〜２２５の各々は、給電線２１１又は２１２を介して使用周波数（９５３ＭＨｚ）の電波が供給されると、使用周波数を中心周波数とする共振を生じ、中心周波数を中心として結合係数によって決定される所定の帯域幅を有する。これは、実施の形態１の共振器２０に含まれる共振素子２１〜２５と同一である。
【０１５６】
実施の形態２のアンテナ装置２００では、共振素子２２１〜２２５の長さが使用周波数における波長の半波長に設定されている。このため、共振素子２２１〜２２５の各々で共振が生じ、端部２２１Ａ〜２２５Ａと端部２２１Ｂ〜２２５Ｂで電圧値が最大となり、共振素子２２１〜２２５の各々の中央部で電流値が最大になる。
【０１５７】
これにより、端部２２１Ａ〜２２５Ａと端部２２１Ｂ〜２２５Ｂでは電界が大きくなり、共振素子２２１〜２２５の各々の中央部では磁界が大きくなる。
【０１５８】
従って、実施の形態１のアンテナ装置１００と同様に、共振器２２０の上面の全領域でＲＦＩＤタグの識別情報を読み取ることができ、従来のアンテナ装置よりも通信可能な領域を拡大したアンテナ装置２００を提供することができる。
【０１５９】
また、以上のように、実施の形態２のアンテナ装置２００では、直線状の共振素子２２１〜２２５と給電線路２１１及び２１２をプリント基板１０の辺Ｘに対して平面視で斜めに配列してあるため、アンテナ装置２００の幅を狭めることができる。
【０１６０】
また、実施の形態２のアンテナ装置２００は、図６（ａ）に示すように、中心点２２３Ｃを対称の中心として点対称に形成されるため、給電線２１１と２１２を入れ替えて用いてもよい。すなわち、端部２１１Ａに終端抵抗器４０を接続するとともに、端部２１２Ａにリーダライタを接続してもよい。
【０１６１】
また、実施の形態２では、共振器２２０が５つの直線状の共振素子２２１〜２２５を含む形態について説明したが、共振素子の数は５つに限られるものではない。共振素子の数は、例えば、アンテナ装置２００の用途に応じて必要な帯域幅を得るために最適な数に設定すればよく、少なくとも１つあればよい。
【０１６２】
また、実施の形態２では、共振器２２０が直線状の共振素子２２１〜２２５を含む形態について説明したが、直線状の共振素子に加えて、実施の形態１で用いたヘアピン型の共振素子を含めてもよい。この場合、隣り合う素子間でインピーダンス整合が取れれば、共振素子の個数及び組み合わせは任意に選択することができる。
【０１６３】
［実施の形態３］
図７は、実施の形態３のアンテナ装置３００を示す斜視図である。
【０１６４】
実施の形態３のアンテナ装置３００は、実施の形態１のアンテナ装置１００を３つ直列に接続したものである。ここでは、３つのアンテナ装置１００を区別するために、符号１００Ａ、１００Ｂ、１００Ｃを用いるが、アンテナ装置１００Ａ、１００Ｂ、及び１００Ｃは、いずれも実施の形態１のアンテナ装置１００と同一である。従って、アンテナ装置１００Ａ、１００Ｂ、及び１００Ｃは、それぞれ、共振器２０を含む。
【０１６５】
アンテナ装置１００Ａの端部１１Ａは、リーダライタに接続され、給電点となる。アンテナ装置１００Ａの端部１２Ａは、アンテナ装置１００Ｂの端部１１Ａと接続される。アンテナ装置１００Ｂは、アンテナ装置１００Ａを介して給電を受ける。
【０１６６】
アンテナ装置１００Ｂの端部１２Ａは、アンテナ装置１００Ｃの端部１１Ａと接続される。アンテナ装置１００Ｃの端部１２Ａには、終端抵抗器４０が接続される。アンテナ装置１００Ｃは、アンテナ装置１００Ａ及び１００Ｂを介して給電を受ける。
【０１６７】
なお、アンテナ装置１００Ａ、１００Ｂ、及び１００Ｃの接続は、インピーダンスが５０（Ω）のコネクタで行ってもよいし、インピーダンス整合が取れるように、半田で接続してもよい。
【０１６８】
ここで、アンテナ装置１００Ａ、１００Ｂ、及び１００Ｃは、いずれも同一のインピーダンス（５０（Ω））を有するので、３つのアンテナ装置１００Ａ、１００Ｂ、及び１００Ｃを直列に接続しても、インピーダンス整合を取ることができる。
【０１６９】
また、実施の形態１において、図４を用いて説明した通り、アンテナ装置１００は、共振器２０上の全領域において、給電点に近い側であるか終端点に近い側であるかにかかわらず、ＲＦＩＤタグ５０の動作に必要な電力を十分に供給することができる。
【０１７０】
このため、図７に示すように３つを直列に接続しても、給電点となるアンテナ装置１００Ａの端部１１Ａから一番遠いアンテナ装置１００Ｃの端部１２Ａに近い側においても、共振器２０上でＲＦＩＤタグ５０を読み取ることができる。
【０１７１】
従って、３つのアンテナ装置１００Ａ、１００Ｂ、及び１００Ｃの共振器２０の上面の全領域がＲＦＩＤタグ５０と通信可能な領域になる。
【０１７２】
以上より、実施の形態３のアンテナ装置３００をリーダライタに接続すれば、３つのアンテナ装置１００Ａ、１００Ｂ、及び１００Ｃの共振器２０の上面の全領域で、ＲＦＩＤタグ５０の識別情報を読み取ることができる。
【０１７３】
なお、実施の形態３では、実施の形態１のアンテナ装置１００を３つ直列に接続する形態について説明したが、直列接続する場合のアンテナ装置１００の数は３つに限られるものではない。
【０１７４】
［実施の形態４］
図８は、実施の形態４のアンテナ装置４００を示す図であり、（ａ）は平面図、（ｂ）は底面図である。
【０１７５】
アンテナ装置４００は、実施の形態１のアンテナ装置１００を２つ並列に配置したものである。なお、並列に配置するにあたり、給電線の形状は実施の形態１のアンテナ装置１００と異なる。また、並列配置した状態でインピーダンス整合を取るために、給電線と共振素子の線幅が実施の形態１のアンテナ装置１００とは異なる。
【０１７６】
図８（ａ）に示すように、アンテナ装置４００は、プリント基板４１０、プリント基板４１０の表面４１０Ａに形成された給電線４１１、４１２、共振器４２０Ａ及び４２０Ｂを含む。給電線４１１、４１２、共振器４２０Ａ及び４２０Ｂには、すべて同一線幅のマイクロストリップラインを用いる。
【０１７７】
プリント基板４１０は、例えばＦＲ４（ガラス布基材エポキシ樹脂基板）であり、例えば、誘電率εｒ＝４．４、誘電正接ｔａｎδ＝０．００２のものを用いることができる。プリント基板４１０は、実施の形態１のプリント基板１０の表面１０Ａの面積を略２倍にしたものであり、図８（ｂ）に示すように底面には実施の形態１のプリント基板１０と同様に地板４３０が一面に形成されている。
【０１７８】
図８（ａ）に示すように、給電線４１１は、Ｔ字型の給電線であり、端部４１１Ａ、端部４１１Ｂ、直線部４１１Ｃ、端部４１１Ｄ、及び直線部４１１Ｅを有する。端部４１１Ｂと４１１Ｄは、直線部４１１Ｃ及び４１１Ｅを挟んで一直線上に存在する。また、端部４１１Ａは、直線部４１１Ｃと４１１Ｅの間からＴ字の基部を形成するように引き出されている。
【０１７９】
給電線４１２は、給電線４１１と同一形状を有するＴ字型の給電線であり、端部４１２Ａ、端部４１２Ｂ、直線部４１２Ｃ、端部４１２Ｄ、及び直線部４１２Ｅを有する。端部４１２Ｂと４１２Ｄは、直線部４１２Ｃ及び４１２Ｅを挟んで一直線上に存在する。また、端部４１２Ａは、直線部４１２Ｃと４１２Ｅの間からＴ字の基部を形成するように引き出されている。
【０１８０】
給電線４１１と４１２は、端部４１１Ａと４１２Ａがプリント基板４１０の中心線ｌ３上に位置してＴ字が向き合うように配設されている。
【０１８１】
共振器４２０Ａ及び４２０Ｂは、それぞれ、共振素子２１〜２５を含む。共振器４２０Ａ及び４２０Ｂの共振素子２１〜２５の構造は、実施の形態１の共振素子２１〜２５と基本的に同一であるが、並列配置でインピーダンス整合を取るために線幅が異なる。
【０１８２】
共振器４２０Ａと４２０Ｂは、プリント基板４１０の中心線ｌ３を対称軸として線対称に配列されている。すなわち、共振器４２０Ａに含まれる共振素子２１〜２５と、共振器４２０Ｂに含まれる共振素子２１〜２５とは、中心線ｌ３を対称軸として線対称に配列されている。
【０１８３】
共振器４２０Ａ及び４２０Ｂの各々に含まれる共振素子２１〜２５では、共振素子２１は共振素子２２と電磁界結合され、共振素子２２は共振素子２３と電磁界結合され、共振素子２３は共振素子２４と電磁界結合され、共振素子２４は共振素子２５と電磁界結合される。このように、共振素子２１〜２５の各々は、隣り合う共振素子同士で電磁界結合する。
【０１８４】
ここで、共振素子２１〜２５は、実施の形態１と同様に、共振素子２１〜２５内での使用周波数の波長λの半波長（λ／２）の長さに設定されているため、給電線１１又は１２を介して使用周波数の電力が供給されると、使用周波数を中心周波数とする共振を生じる。
【０１８５】
また、共振素子２１〜２５は、上述のように電磁界結合しているため、中心周波数から拡がる所定の帯域幅を有する。
【０１８６】
帯域幅は、共振素子２１〜２５の結合係数によって決まり、結合係数は、隣り合う共振素子同士の間隔によって決まる。
【０１８７】
このため、共振素子２１〜２５の隣り合う共振素子同士の間隔は、使用周波数を共振の中心周波数として所定の帯域幅を有するように設定されている。
【０１８８】
給電線４１１の直線部４１１Ｃは、共振器４２０Ａの共振素子２１とインピーダンス整合が取れるように調整されて表面４１０Ａ上に形成されている。具体的には、共振器４２０Ａの共振素子２１との間隔、直線部４１１Ｃの長さ、線幅、及び厚さ等が調整されている。
【０１８９】
同様に、給電線４１１の直線部４１１Ｅは、共振器４２０Ｂの共振素子２１とインピーダンス整合が取れるように調整されて表面４１０Ａ上に形成されている。具体的には、共振器４２０Ｂの共振素子２１との間隔、直線部４１１Ｅの長さ、線幅、及び厚さ等が調整されている。
【０１９０】
このため、給電線４１１は、共振器４２０Ａ及び４２０Ｂの両方の共振素子２１とインピーダンス整合が取られた状態で、共振素子２１と電磁界結合されている。
【０１９１】
また、給電線４１２の直線部４１２Ｃは、共振器４２０Ａの共振素子２５とインピーダンス整合が取れるように調整されて表面４１０Ａ上に形成されている。具体的には、共振器４２０Ａの共振素子２５との間隔、直線部４１２Ｃの長さ、線幅、及び厚さ等が調整されている。
【０１９２】
同様に、給電線４１２の直線部４１２Ｅは、共振器４２０Ｂの共振素子２５とインピーダンス整合が取れるように調整されて表面４１０Ａ上に形成されている。具体的には、共振器４２０Ｂの共振素子２５との間隔、直線部４１２Ｅの長さ、線幅、及び厚さ等が調整されている。
【０１９３】
このため、給電線４１２は、共振器４２０Ａ及び４２０Ｂの両方の共振素子２５とインピーダンス整合が取られた状態で、共振素子２５と電磁界結合されている。
【０１９４】
従って、共振器４２０Ａと４２０Ｂは、給電線４１１と４１２に互いに並列に電磁界結合されている。
【０１９５】
給電線４１１、共振器４２０Ａ、共振器４２０Ｂ、及び給電線４１２は、例えば、端部４１１Ａから見て、給電線４１１、共振器４２０Ａ、共振器４２０Ｂ、及び給電線４１２の入力インピーダンスが約５０（Ω）になるようにインピーダンス整合が取られていればよい。これは、給電線４１１、共振器４２０Ａ、共振器４２０Ｂ、及び給電線４１２の間を略無反射の状態にすることにより、給電線４１１から共振器４２０Ａ及び４２０Ｂを経て給電線４１２に電力を供給する際の電力損失を略零にするためである。
【０１９６】
なお、実施の形態４のアンテナ装置４００は、端部４１１Ａと４１２Ａの間で給電線４１１、共振器４２０Ａ、４２０Ｂ、及び給電線３１２が左右対称にされている。このため、上述のようにインピーダンス整合を取れば、端部４１２Ａから見て、給電線４１２、共振器４２０Ａ、共振器４２０Ｂ、及び給電線４１１の入力インピーダンスが約５０（Ω）になるようにインピーダンス整合が取られることになる。
【０１９７】
このため、給電線４１１、共振器４２０Ａに含まれる共振素子２１〜２５、共振器４２０Ｂ、及び給電線４１２に含まれる共振素子２１〜２５は、インピーダンス整合が取られた状態で、隣り合う素子同士が電磁界結合されている。
【０１９８】
以上より、実施の形態４のアンテナ装置４００をリーダライタに接続すれば、実施の形態１のアンテナ装置１００と同様に、ＲＦＩＤタグ５０の識別情報を読み取ることができる。
【０１９９】
実施の形態１において、図４を用いて説明した通り、アンテナ装置１００は、共振器２０の上面の全領域においてＲＦＩＤタグ５０の動作に必要な電力を十分に供給することができる。このため、図８に示すように、２つを並列に接続しても、共振器４２０Ａ及び４２０Ｂの上面の全領域がＲＦＩＤタグ５０と通信可能な領域になる。
【０２００】
以上より、実施の形態４のアンテナ装置４００をリーダライタに接続すれば、共振器４２０Ａ及び４２０Ｂの上面の全領域で、ＲＦＩＤタグ５０の識別情報を読み取ることができる。
【０２０１】
なお、実施の形態４では、実施の形態１のアンテナ装置１００を２つ並列に配置する形態について説明したが、並列配置する個数は、２つに限られるものではない。
【０２０２】
［実施の形態５］
図９は、実施の形態５のアンテナ装置５００を示す斜視図である。
【０２０３】
実施の形態５のアンテナ装置５００は、実施の形態４のアンテナ装置４００を３つ直列に接続したものである。
【０２０４】
ここでは、３つのアンテナ装置４００を区別するために、符号４００Ａ、４００Ｂ、４００Ｃを用いるが、アンテナ装置４００Ａ、４００Ｂ、及び４００Ｃは、いずれも実施の形態４のアンテナ装置４００と同一である。
【０２０５】
アンテナ装置４００Ａの端部４１１Ａは、リーダライタに接続され、給電点となる。アンテナ装置４００Ａの端部４１２Ａは、アンテナ装置４００Ｂの端部４１１Ａと接続される。アンテナ装置４００Ｂは、アンテナ装置４００Ａを介して給電を受ける。
【０２０６】
アンテナ装置４００Ｂの端部４１２Ａは、アンテナ装置４００Ｃの端部４１１Ａと接続される。アンテナ装置４００Ｃの端部４１２Ａには、終端抵抗器４０が接続される。アンテナ装置４００Ｃは、アンテナ装置４００Ａ及び４００Ｂを介して給電を受ける。
【０２０７】
なお、アンテナ装置４００Ａ、４００Ｂ、及び４００Ｃの接続は、インピーダンスが５０（Ω）のコネクタで行ってもよいし、インピーダンス整合が取れるように、半田で接続してもよい。
【０２０８】
ここで、アンテナ装置４００Ａ、４００Ｂ、及び４００Ｃは、いずれも同一のインピーダンス（５０（Ω））を有するので、３つのアンテナ装置４００Ａ、４００Ｂ、及び４００Ｃを直列に接続しても、インピーダンス整合を取ることができる。
【０２０９】
また、実施の形態１において、図４を用いて説明した通り、アンテナ装置１００は、共振器２０上の全領域において、給電点に近い側であるか終端点に近い側であるかにかかわらず、ＲＦＩＤタグ５０の動作に必要な電力を十分に供給することができる。これは、実施の形態４のように実施の形態１のアンテナ装置１００を２つ並列に配置したアンテナ装置４００においても同様である。
【０２１０】
このため、実施の形態４のアンテナ装置４００を３つ直列に接続しても、給電点となるアンテナ装置４００Ａの端部４１１Ａから一番遠いアンテナ装置４００Ｃの端部４１２Ａに近い側においても、共振器４２０Ａ及び４２０Ｂ上でＲＦＩＤタグ５０を読み取ることができる。
【０２１１】
従って、３つのアンテナ装置４００Ａ、４００Ｂ、及び４００Ｃの共振器４２０Ａ及び４２０Ｂの上面の全領域がＲＦＩＤタグ５０と通信可能な領域になる。
【０２１２】
以上より、実施の形態５のアンテナ装置５００をリーダライタに接続すれば、実施の形態４のアンテナ装置４００と同様に、ＲＦＩＤタグ５０の識別情報を読み取ることができる。
【０２１３】
なお、実施の形態５では、実施の形態４のアンテナ装置４００を３つ直列に接続する形態について説明したが、直列接続するアンテナ装置４００の個数は３つに限られるものではない。
【０２１４】
［実施の形態６］
図１０は、実施の形態６のアンテナ装置を含むシステムを示す図である。
【０２１５】
実施の形態６のアンテナ装置を含むシステムは、実施の形態１のアンテナ装置１００、を用いた物品の管理を行うシステムである。このため、実施の形態６では、アンテナ装置１００の説明については、図１を援用する。
【０２１６】
また、実施の形態６のシステムは、アンテナ装置１００に加えて、リーダライタ６０、ＰＣ７０、及びパッチアンテナ装置９０を含むが、このうち、高価なパッチアンテナ装置９０は、システムの用途を広げるための一例として追加したに過ぎず、含まなくてもよい。
【０２１７】
アンテナ装置１００とリーダライタ６０は、保管庫６００の内部の棚６００Ａに設置されている。保管庫６００は、パッチアンテナ装置９０から放射される電波を遮蔽できる金属で作製されている。
【０２１８】
アンテナ装置１００の端部１２Ａには、同軸ケーブル９１を介してパッチ導体を有するパッチアンテナ装置９０が接続されている。すなわち、リーダライタ６０には、アンテナ装置１００とパッチアンテナ装置９０が直列に接続されている。同軸ケーブル９１のインピーダンスは５０（Ω）であり、パッチアンテナ装置９０のインピーダンスは、同軸ケーブル９１とインピーダンス整合が取れるように、５０（Ω）に設定されている。このため、パッチアンテナ装置９０には、アンテナ装置１００及び同軸ケーブル９１を介して、略無反射で搬送波に重畳された読み取り信号が入力される。
【０２１９】
パッチアンテナ装置９０は、例えば３ｍ程度の通信距離を有しており、保管庫６００の近傍に設置される作業台６０１の作業面６０１Ａ上に配設される。パッチアンテナ装置９０の通信可能な領域は、少なくとも作業面６０１Ａの全体を含んでいる。
【０２２０】
また、作業台６０１の作業面６０１Ａは、例えば、２ｍ四方の正方形の作業面であればよい。
【０２２１】
このような実施の形態６のアンテナ装置を含むシステムでは、物品６１０（６１０Ａ〜６１０Ｅ）の管理を行う。物品６１０Ａ〜６１０Ｅには、ＲＦＩＤタグ５０Ａ〜５０Ｅが貼着されている。このため、リーダライタ６０では、アンテナ装置１００及びパッチアンテナ装置９０の通信可能領域内にある物品６１０Ａ〜６１０ＥのＲＦＩＤタグ５０Ａ〜５０Ｅの識別情報を読み取ることができる。
【０２２２】
ここで、ＲＦＩＤタグ５０が貼着された物品６１０（６１０Ａ〜６１０Ｅ）は、通常、保管庫６００内のアンテナ装置１００の上に設置された状態で保管される。
【０２２３】
ところが、図１０に示す状態では、４個の物品６１０Ａ、６１０Ｂ、６１０Ｃ、及び６１０Ｄはアンテナ装置１００の真上に置かれており、物品６１０Ｅは、作業台６０１の作業面６０１Ａに置かれている。作業面６０１Ａは、パッチアンテナ装置９０によって識別情報を読み取ることができる通信領域である。
【０２２４】
このため、図１０に示す状態では、リーダライタ６０は、アンテナ装置１００を介して、物品６１０Ａ、６１０Ｂ、６１０Ｃ、及び６１０Ｄに貼着されたＲＦＩＤタグ５０Ａ、５０Ｂ、５０Ｃ、及び５０Ｄの識別情報を読み取ることができる。また、リーダライタ６０は、パッチアンテナ装置９０を介して、物品６１０Ｅに貼着されたＲＦＩＤタグ５０Ｅの識別情報を読み取ることができる。
【０２２５】
このため、物品６１０Ａ〜６１０Ｅが、保管庫６００の内部、又は作業面６０１Ａの上のどちらかに存在していることを把握することができる。
【０２２６】
実施の形態６のアンテナ装置１００を用いたシステムでは、ＰＣ７０が後述する処理を実行してリーダライタ６０を動作させることにより、物品６１０（６１０Ａ〜６１０Ｅ）の管理を行う。
【０２２７】
このため、ＰＣ７０は、物品の管理を行う処理部として物品管理部７０Ａを含む。この物品管理部は、ＰＣ７０のＣＰＵ（Central Processing Unit：中央演算装置）の一機能として実現され、物品管理のための処理を実行する際に必要なプログラムを実行する。
【０２２８】
また、ＰＣ７０は、物品管理部７０Ａが実行するプログラムと、プログラムの実行に必要なデータを格納するＨＤＤ（Hard Disc Drive：ハードディスクドライブ）７０Ｂを有する。
【０２２９】
さらに、ＰＣ７０には、モニタ７０Ｃが接続されている。
【０２３０】
物品管理部７０Ａは、物品６１０Ａ〜６１０Ｅのいずれかの識別情報をアンテナ装置１００を介して読み取ることができず、かつ、パッチアンテナ装置９０を介しても読み取ることができない場合に、物品６１０Ａ〜６１０Ｅのいずれかが紛失したと判定する。この判定処理については、図１２を用いて後述する。
【０２３１】
次に、ＰＣ７０が実行する処理について説明する前に、ＲＦＩＤタグ５０Ａ〜５０Ｅの識別情報（識別ＩＤ）と、物品６１０Ａ〜６１０Ｅの種類を表す物品データとの関係について、図１１を用いて説明する。
【０２３２】
図１１は、実施の形態６のアンテナ装置を含むシステムで用いる識別ＩＤと物品データとの関係を表すテーブルを示す図である。
【０２３３】
識別ＩＤ（Identification）は、ＲＦＩＤタグ５０Ａ〜５０Ｅの各々に含まれる識別情報を表す識別子である。識別ＩＤは、ＲＦＩＤタグ５０Ａ〜５０Ｅの各々について異なる識別子が割り当てられている。
【０２３４】
物品データは、物品６１０Ａ〜６１０Ｅの各々の物品の名称を表すデータである。
【０２３５】
物品６１０Ａ〜６１０Ｅの各々を表す物品データは、物品６１０Ａ〜６１０Ｅに貼着されるＲＦＩＤタグ５０Ａ〜５０Ｅの識別ＩＤと関連付けられ、図１１に示すテーブルとしてＨＤＤ７０Ｂに格納されている。
【０２３６】
図１２は、実施の形態６のアンテナ装置を含むシステムによる物品管理処理の手順を示す図である。この処理は、リーダライタ６０、ＰＣ７０、及びパッチアンテナ９０の電源が投入された状態で、物品管理部７０Ａによって実行される。
【０２３７】
なお、リーダライタ６０には、アンテナ装置１００又はパッチアンテナ装置９０によって読み取られるＲＦＩＤタグ５０Ａ〜５０Ｅのすべての識別情報が一度に入力されるため、図１２に示す処理は、物品６１０Ａ〜６１０Ｅのすべてについて同時に実行される。
【０２３８】
物品管理部７０Ａは、リーダライタ６０、ＰＣ７０、及びパッチアンテナ９０の電源が投入された状態で処理を開始する（スタート）。
【０２３９】
物品管理部７０Ａは、アンテナ装置１００及びパッチアンテナ装置９０によって、すべての物品６１０Ａ〜６１０Ｅに貼着されたＲＦＩＤタグ５０Ａ〜５０Ｅの識別情報を読み取ったか否かを判定する（ステップＳ１）。
【０２４０】
物品管理部７０Ａは、ステップＳ１において、アンテナ装置１００によってＲＦＩＤタグ５０Ａの識別情報を読み取れなかった場合は、読み取れなかったＲＦＩＤタグが貼着された物品が紛失したと判定する（ステップＳ２）。例えば、物品６１０ＡのＲＦＩＤタグ５０Ａの識別情報がアンテナ装置１００及びパッチアンテナ装置９０によって読み取れない場合は、物品６１０Ａは、保管庫６００内にも作業面６０１Ａの上にも無いと考えられるからである。
【０２４１】
次いで、物品管理部７０Ａは、物品管理部７０Ａは、紛失した物品の識別情報を表す識別データと関連付けられた物品データをＨＤＤ７０Ｂから読み出し、紛失したと物品の名称と識別情報をモニタ７０Ｃに表示する（ステップＳ３）。物品６１０Ａが紛失したことをモニタ７０Ｃを通じて報知するためである。
【０２４２】
物品管理部７０Ａは、ステップＳ３の処理が終了すると、物品管理部７０Ａは、手順を終了する（エンド）。
【０２４３】
なお、物品管理部７０Ａは、ステップＳ１において、すべての物品６１０Ａ〜６１０ＥのＲＦＩＤタグ５０Ａ〜５０Ｅの識別情報を読み取った場合は、ステップＳ１の判定処理を繰り返し実行する。繰り返し実行することにより、物品を管理し、紛失を発見するためである。
【０２４４】
以上、実施の形態６によれば、共振器２０の上面の全領域でＲＦＩＤタグを読み取ることのできるアンテナ装置１００を用いているので、ＲＦＩＤタグが貼着された物品の置き場所によらず、物品の存在の有無を正確に判定できる物品管理用のシステムを提供できる。
【０２４５】
この場合に、共振器２０の上面の全領域でＲＦＩＤタグを読み取ることができるので、終端側で読み取りにくい従来のアンテナ装置に比べて、利用者にとって使い勝手の非常に良いシステムを提供することができる。
【０２４６】
また、安価で通信可能領域の広いアンテナ装置１００を用いているので、物品の存在有無の判定精度の高いシステムを安価に提供することができる。
【０２４７】
なお、図１０に示したようなシステムは、様々な用途に利用が可能であるが、例えば、持ち出しが禁止されている物品（例えば、有毒物質又は劇薬等）の管理に用いることができる。
【０２４８】
また、以上では、実施の形態６のシステムとして、実施の形態１のアンテナ装置１００を用いたシステムについて説明したが、実施の形態２〜５のいずれかのアンテナ装置を用いてもよい。
【０２４９】
図１３は、実施の形態６のアンテナ装置を含むシステムにおいてアンテナ装置の上に物品を置いた状態を示す斜視図である。図１３には、実施の形態３のアンテナ装置３００の上に物品６１０を多数並べた状態を示す。なお、図１３に示す物品６１０は、底面にＲＦＩＤタグ５０が貼着されている。
【０２５０】
このように、多数の物品６１０をアンテナ装置３００の上に置いても、アンテナ装置１００Ａ〜１００Ｃは、実施の形態１のアンテナ装置１００と同様に、全領域でＲＦＩＤタグを読み取ることができる。
【０２５１】
従来のアンテナ装置は、特に終端側でＲＦＩＤタグの読み取りが困難であったため、複数のアンテナ装置を接続することは困難であったが、図１３に示すアンテナ装置３００を用いれば、リーダライタ６０から一番遠い側においてもＲＦＩＤタグを読み取ることができる。
【０２５２】
以上、本発明の例示的な実施の形態のアンテナ装置、及びアンテナ装置を含むシステムについて説明したが、本発明は、具体的に開示された実施の形態に限定されるものではなく、特許請求の範囲から逸脱することなく、種々の変形や変更が可能である。
以上の実施の形態１〜６に関し、さらに以下の付記を開示する。
（付記１）
識別タグの識別情報を読み取る読取装置に接続され、前記識別タグと通信を行うアンテナ装置であって、
前記読取装置から給電を受ける第１給電部と、
前記第１給電部に電磁界結合され、前記読取装置の使用周波数を含む所定の帯域幅を有する共振器と、
前記共振器に電磁界結合されるとともに、所定の抵抗値で終端される第２給電部と
を含む、アンテナ装置。
（付記２）
前記共振器は、前記読取装置の使用周波数を含む所定の帯域幅を有する複数の共振素子を含む、付記１に記載のアンテナ装置。
（付記３）
前記共振素子は、互いに並行に配列される直線型の共振素子である、付記２に記載のアンテナ装置。
（付記４）
前記直線型の共振素子は、平面視で基板の辺に対して斜めに配列される、付記３に記載のアンテナ装置。
（付記５）
前記共振素子は、一対の直線部と、前記一対の直線部を接続する折り曲げ部とを有するヘアピン型の共振素子である、付記２に記載のアンテナ装置。
（付記６）
前記ヘアピン型の共振素子は、隣り合う共振素子同士が互い違いの向きに配列される、付記５に記載のアンテナ装置。
（付記７）
前記ヘアピン型の共振素子は、隣り合う共振素子同士の前記直線部の長さ方向の位置が揃えられている、付記５又は６に記載のアンテナ装置。
（付記８）
前記共振器を複数含み、当該複数の共振器は、前記第１給電部及び前記第２給電部に互いに並列に電磁界結合される、付記１乃至７のいずれか一項に記載のアンテナ装置。
（付記９）
前記読取装置と、
付記１乃至８のいずれか一項に記載のアンテナ装置と
を含むシステム。
（付記１０）
付記１乃至８のアンテナ装置によって読み取られる識別タグ。
【符号の説明】
【０２５３】
１０  プリント基板
１０Ａ  表面
１０Ｂ  裏面
１１、１２、２１１、２１２、４１１、４１２  給電線
１１Ａ、１１Ｂ、１２Ａ、１２Ｂ、２１１Ａ、２１２Ａ、４１１Ａ、４１１Ｂ、４１２Ａ、４１２Ｂ、４１２Ｄ  端部
１１Ｃ、１２Ｃ  折り曲げ部
１１Ｄ、１１Ｅ、１２Ｄ、１２Ｅ、４１１Ｃ、４１１Ｄ、４１１Ｅ、４１２Ｃ、４１２Ｅ  直線部
２０、２２０、４２０Ａ、４２０Ｂ  共振器
２１、２２、２３、２４、２５、２２１、２２２、２２３、２２４、２２５  共振素子
２１Ａ、２２Ａ、２３Ａ、２４Ａ、２５Ａ  開放端
２１Ｂ、２２Ｂ、２３Ｂ、２４Ｂ、２５Ｂ  短絡端
２１Ｃ、２２Ｃ、２３Ｃ、２４Ｃ、２５Ｃ  直線部
３０  地板
４０  終端抵抗器
５０、５０Ａ、５０Ｂ、５０Ｃ、５０Ｄ、５０Ｅ  ＲＦＩＤタグ
５１  シート
５２  ループアンテナ部
５３  バイパス線路部
５４  ＩＣチップ
６０  リーダライタ
７０  ＰＣ
７０Ａ  物品管理部
７０Ｂ  ＨＤＤ
７０Ｃ  モニタ
８０  マイクロストリップライン
９０  パッチアンテナ装置
９１  同軸ケーブル
１００、１００Ａ、１００Ｂ、１００Ｃ、２００、３００、４００Ａ、４００Ｂ、４００Ｃ、５００  アンテナ装置
２１１Ｂ、２１２Ｂ  他端
２２１Ａ、２２２Ａ、２２３Ａ、２２４Ａ、２２５Ａ  端部
２２１Ｂ、２２２Ｂ、２２３Ｂ、２２４Ｂ、２２５Ｂ  端部
２２３Ｃ  中心点
６００  保管庫
６００Ａ  棚
６０１  作業台
６０１Ａ  作業面
６１０、６１０Ａ、６１０Ｂ、６１０Ｃ、６１０Ｄ、６１０Ｅ  物品
【図１】
2011114633.tif 000003
【図２】
2011114633.tif 000004
【図４】
2011114633.tif 000005
【図７】
2011114633.tif 000006
【図８】
2011114633.tif 000007
【図９】
2011114633.tif 000008
【図１０】
2011114633.tif 000009
【図１１】
2011114633.tif 000010
【図１２】
2011114633.tif 000011
【図１３】
2011114633.tif 000012
【図３】
2011114633.tif 000013
【図５】
2011114633.tif 000014
【図６】
2011114633.tif 000015